(57)【特許請求の範囲】
【請求項１】
シャフトと、このシャフトの基端に設けられたグリップと、シャフトの先端に設けられたヘッドとを備えているゴルフクラブであって、
クラブ長さが４５インチ以上であり、
グリップエンドまわりの慣性モーメントＭ（ｇ・ｍ2 ）と、曲げ振動の周期Ｔ（ｓｅｃ）とは、２００≦Ｍ≦３００、且つ、０．３４０≧Ｔ≧０．２６５０の範囲に設定されていることを特徴とするゴルフクラブ。
【発明の詳細な説明】
【０００１】
【発明の属する技術分野】
本発明は、常に安定したスイングを維持することが可能な振り易いゴルフクラブに関する。
【０００２】
【従来の技術】
近年、飛距離を伸ばすために、ゴルフクラブの長さが徐々に長くなる傾向にある。
【０００３】
【発明が解決しようとする課題】
しかしながら、このようなゴルフクラブでは、その長さを長くする点だけを考慮しており、振り易さという点については、充分考慮がされていないため、スイングの安定性の点で問題があった。
【０００４】
具体的には、振り易くするために、クラブ重量を小さくするといった静的な考慮は成されていたが、ゴルフクラブのグリップエンドまわりの慣性モーメントやグリップを把持した状態での振動の周期を調整するといった動的な配慮は成されていなかった。このため、スイング時（例えば、トップでの切り返し時）において、プレーヤの指、手首、腕、肩、背中、腰などに（瞬間的な）大きな負荷が掛かり、その結果、スイングが大きく乱れてしまう割合が高かった。
【０００５】
本発明は、このような問題を解決するために成されており、その目的は、常に安定したスイングを維持することが可能な振り易いゴルフクラブを提供することにある。
【０００６】
【課題を解決するための手段】
このような目的を達成するために、本発明のゴルフクラブは、シャフトと、このシャフトの基端に設けられたグリップと、シャフトの先端に設けられたヘッドとを備えているゴルフクラブであって、
クラブ長さが４５インチ以上であり、
グリップエンドまわりの慣性モーメントＭ（ｇ・ｍ2 ）と、曲げ振動の周期Ｔ（ｓｅｃ）とは、２００≦Ｍ≦３００、且つ、０．３４０≧Ｔ≧０．２６５０の範囲に設定されていることを特徴としている。
【０００７】
【発明の実施の形態】
以下、本発明のゴルフクラブについて、添付図面を参照して説明する。
【０００８】
なお、本発明のゴルフクラブは、特に説明が無い限り、男性用及び女性用ゴルフクラブを含めたウッド型クラブ及びアイアン型クラブの上位概念として規定されている。
【０００９】
図１及び図２（ａ），（ｂ）に示すように、本発明のゴルフクラブは、シャフト２と、このシャフト２の基端に設けられたグリップ４と、シャフト２の先端に設けられたヘッド６とを備えており、常に安定したスイングを維持することが可能な振り易いゴルフクラブを実現するために、グリップエンドまわりの慣性モーメントＭ（ｇ・ｍ2 ）と曲げ振動の周期Ｔ（ｓｅｃ）とが所定の範囲に設定されている。
【００１０】
まず、第１の設定範囲として、本発明のゴルフクラブにおいて、グリップエンドまわりの慣性モーメントＭ（ｇ・ｍ2 ）は、
２００≦Ｍ≦２５８
の範囲Ｄ１（図１参照）に設定されている。
具体的には、男性用ゴルフクラブにおいて、グリップエンドまわりの慣性モーメントＭは、２２０≦Ｍ≦２５８の範囲、好ましくは、２３０≦Ｍ≦２５０の範囲に設定されている。一方、女性用ゴルフクラブにおいて、グリップエンドまわりの慣性モーメントＭは、２００≦Ｍ≦２３８の範囲、好ましくは、２１０≦Ｍ≦２３０の範囲に設定されている。グリップエンドまわりの慣性モーメントＭを上記範囲より小さくすると、バックスイングにおいてリストを使って上げ易くなり、その結果、肩が充分まわらないスイングになる傾向となってしまい易い。
【００１１】
また、第２の設定範囲として、本発明のゴルフクラブにおいて、グリップエンドまわりの慣性モーメントＭ（ｇ・ｍ2 ）と曲げ振動の周期Ｔ（ｓｅｃ）とは、
Ｍ≦３００、且つ、Ｔ≧０．２６５０
の範囲Ｄ２（図１参照）に設定されている。
具体的には、男性用ゴルフクラブでは、Ｍ≦３００、且つ、Ｔ≧０．２６５０の範囲、好ましくは、Ｍ≦２９５、且つ、Ｔ≧０．２７００の範囲に設定されている。一方、女性用ゴルフクラブでは、Ｍ≦２５０、且つ、Ｔ≧０．２８５０の範囲、好ましくは、Ｍ≦２４０、且つ、Ｔ≧０．３１５０の範囲に設定されている。
【００１２】
更に、第３の設定範囲として、本発明のゴルフクラブにおいて、グリップエンドまわりの慣性モーメントＭ（ｇ・ｍ2 ）と曲げ振動の周期Ｔ（ｓｅｃ）とは、
Ｍ≦２３７０Ｔ−３４０
の範囲Ｄ３（図１参照）に設定されている。
具体的には、男性用ゴルフクラブでは、Ｍ≦２３７０Ｔ−３４０の範囲、好ましくは、Ｍ≦２３７０Ｔ−３５５の範囲に設定されている。一方、女性用ゴルフクラブでは、Ｍ≦２３７０Ｔ−４３０の範囲、好ましくは、Ｍ≦２３７０Ｔ−５１０の範囲に設定されている。
【００１３】
また、第４の設定範囲として、本発明のゴルフクラブにおいて、グリップエンドまわりの慣性モーメントＭ（ｇ・ｍ2 ）と曲げ振動の周期Ｔ（ｓｅｃ）とは、
Ｍ／Ｔ≦１０３０
の範囲（図示しない）に設定されている。
具体的には、男性用ゴルフクラブでは、Ｍ／Ｔ≦１０３０の範囲、好ましくは、Ｍ／Ｔ≦１０２０の範囲に設定されている。一方、女性用ゴルフクラブでは、Ｍ／Ｔ≦８００の範囲、好ましくは、Ｍ／Ｔ≦７８０の範囲に設定されている。
【００１４】
第１〜第４の設定範囲は、適宜選択して組み合わせることが可能であり、この組み合わせによって、使用目的やプレーヤの力量に応じたゴルフクラブ（常に安定したスイングを維持することが可能な振り易いゴルフクラブ）を実現することができる。
【００１５】
ここで、本発明のゴルフクラブのグリップエンドまわりの慣性モーメント、及び、曲げ振動の周期を設定する方法について説明する。
【００１６】
まず、グリップエンドまわりの慣性モーメントについては、例えば、シャフト２やヘッド６やグリップ４の重量を増減変更したり、シャフト２の長さを長くしたり短くする方法、或いは、それぞれの質量分布を調整する等の方法によって、上述した範囲内に設定する。
【００１７】
また、曲げ振動の周期は、例えば図２（ｃ）に示すようなゴルフクラブ曲げ振動計８（例えば、品名「 GOLF CLUB TIMING HARMONIZER（製造元：フジクラゴム工業株式会社）」を用いることによって、所望の値に設定することができる。実際の設定方法は、クランプ１０によってグリップ４の一部（グリップエンドからＬ＝７インチ（＝１７８ｍｍ））をクランプした後、ヘッド６に対して下方に向けて任意の負荷を加えてシャフト２を振動させ、１分間当たりの振動数を測定する。そして、このとき測定した振動数に基づいて、シャフト２の曲げ振動の周期（＝６０秒／振動数）を設定する。例えば、シャフト２の剛性分布の調整、シャフト２やヘッド６やグリップ４の質量分布の調整、重量調整等の方法によって、上述した範囲内に設定する。
【００１８】
本発明によれば、上述した範囲内にグリップエンドまわりの慣性モーメントを設定することによって、スイング時（特にトップでの切り返し時）において、（バックスイングによってゴルフクラブに与えられた）慣性力を小さくすることができるため、プレーヤの指、手首、腕、肩、背中、腰などへの負荷を軽減することが可能となる。この結果、安定したスイングを維持することが可能となる。
【００１９】
更に、本発明によれば、上述した範囲内に曲げ振動の周期を設定することによって、スイング時（特に、トップでの切り返し時）における負荷を分散させることができる。つまり、トップでの切り返し時において、プレーヤへの負荷を長時間に亘って小さな負荷にすることができる。この結果、プレーヤの指、手首、腕、肩、背中、腰などへの負荷を軽減することが可能となり、安定したスイングを維持することが可能となる。
【００２０】
また、第１の設定範囲に対し、グリップエンドまわりの慣性モーメントを大きくしても、安定したスイングの維持の効果が得られるため、ヘッド重量をより大きくすることが可能となり、飛距離やスイートエリアの拡大等においても考慮されたゴルフクラブを提供することができる。
【００２１】
そして、本発明によれば、グリップエンドまわりの慣性モーメントと曲げ振動の周期とを上述した第１〜第４の設定範囲において適宜選択的に組み合わせることによって、常に安定したスイングを維持することが可能な振り易いゴルフクラブを提供することができる。
【００２２】
特に本発明は、長尺なゴルフクラブに有効である。具体的には、４５インチ以上（好ましくは、４６インチ以上、更に好ましくは、４７インチ以上）の男性用ゴルフクラブに有効であり、一方、４４インチ以上（好ましくは、４５インチ以上、更に好ましくは、４６インチ以上）の女性用ゴルフクラブに有効である。
【００２３】
【発明の効果】
本発明によれば、常に安定したスイングを維持することが可能な振り易いゴルフクラブを提供することができる。
【図面の簡単な説明】
【図１】本発明のゴルフクラブにおいて、グリップエンドまわりの慣性モーメントと曲げ振動の周期との関係を示す図。
【図２】（ａ）は、本発明のゴルフクラブの斜視図、（ｂ）は、本発明のゴルフクラブの平面図、（ｃ）は、曲げ振動の周期を設定する方法を説明するための図。
【符号の説明】
Ｍ  グリップエンドまわりの慣性モーメント
Ｔ  曲げ振動の周期
【図１】
0003735208.tif 000002
【図２】
0003735208.tif 000003